(57)【要約】  免許不要帯における参照信号及び当該参照信号を用いて測定された受信品質報告を適切に送信することができる基地局。基地局（１００）において、制御部（１０２）は、キャリアセンスの結果に応じて設定される時間リソースに基づいて、キャリアセンスの前に設定される、参照信号の送信タイイング及び端末２００において参照信号を用いて測定された品質情報の報告タイミングのうち少なくとも一つのタイミングを変更する。送信部（１０８）及び受信部（１０９）は、変更されたタイミングに基づいて、参照信号又は品質情報の通信を行う。
2020144890.tif 000002
【特許請求の範囲】
【請求項１】
キャリアセンスの結果に応じて設定される時間リソースに基づいて、前記キャリアセンスの前に設定される、参照信号の送信タイミング及び端末において前記参照信号を用いて測定された品質情報の報告タイミングのうち少なくとも一つのタイミングを変更する制御回路と、
前記変更されたタイミングに基づいて、前記参照信号又は前記品質情報の通信を行う通信回路と、
を具備する基地局。
【請求項２】
前記制御回路は、
前記時間リソース内の前記送信タイミングに対応するリソースが上りリソースの場合、前記送信タイミングを、前記時間リソース内の下りリソースにシフトし、
前記時間リソース内の前記報告タイミングに対応するリソースが下りリソースの場合、前記報告タイミングを、前記時間リソース内の上りリソースにシフトする、
請求項１に記載の基地局。
【請求項３】
前記制御回路は、
前記タイミングに対応するリソースが前記時間リソースと異なる場合、前記タイミングを、前記時間リソース内にシフトする、
請求項１に記載の基地局。
【請求項４】
前記通信回路は、前記変更されたタイミングを示す情報を端末へ通知する、
請求項１に記載の基地局。
【請求項５】
前記制御回路は、前記報告タイミングに対応するリソースが前記時間リソースと異なる場合、前記報告タイミングを、他のキャリアセンスの結果に応じて設定される他の時間リソースにシフトする、
請求項１に記載の基地局。
【請求項６】
キャリアセンスの結果に応じて設定される時間リソースに基づいて、前記キャリアセンスの前に設定される、基地局からの参照信号の送信タイミング及び前記参照信号を用いて測定する品質情報の報告タイミングのうち少なくとも一つのタイミングを変更する制御回路と、
前記変更されたタイミングに基づいて、前記参照信号又は前記品質情報の通信を行う通信回路と、
を具備する端末。
【請求項７】
キャリアセンスの結果に応じて設定される時間リソースに基づいて、前記キャリアセンスの前に設定される、参照信号の送信タイミング及び端末において前記参照信号を用いて測定された品質情報の報告タイミングのうち少なくとも一つのタイミングを変更し、
前記変更されたタイミングに基づいて、前記参照信号又は前記品質情報の通信を行う、
通信方法。
【請求項８】
キャリアセンスの結果に応じて設定される時間リソースに基づいて、前記キャリアセンスの前に設定される、基地局からの参照信号の送信タイミング及び前記参照信号を用いて測定する品質情報の報告タイミングのうち少なくとも一つのタイミングを変更し、
前記変更されたタイミングに基づいて、前記参照信号又は前記品質情報の通信を行う、
通信方法。
【発明の詳細な説明】
【技術分野】
【０００１】
本開示は、基地局、端末及び通信方法に関する。
【背景技術】
【０００２】
第５世代移動通信システム（5G）の標準化において、LTE/LTE-Advancedとは必ずしも後方互換性を持たない新しい無線アクセス技術（NR：New Radio access technology）が3GPPで議論されている。【０００３】
NRでは、LTE-License-Assisted Access（LTE-LAA）と同様に、アンライセンス帯域（又は、免許不要帯とも呼ぶ）での運用（NR-U又はNR-based Access to Unlicensed Spectrumとも呼ぶ）について議論されている。LTE-LAAでは、ライセンス帯域での運用に付随するアンライセンス帯域での運用がサポートされた。一方、NRでは、ライセンス帯域を用いず、アンライセンス帯域での運用（Stand-alone operation）を実現することが要求されている。【０００４】
LTE-LAAでは、基地局（例えば、「eNB」又は「gNB」と呼ぶこともある）が特定の無線リソースを用いて、Channel State Information-Reference Signal（以下、CSI-RSと呼ぶ）と呼ばれる参照信号を送信する（以下、「CSI-RS送信」又は「CSI-RS transmission」と呼ぶこともある）。端末（例えば、「UE（User Equipment）」と呼ぶこともある）は、CSI-RSの受信品質を測定することにより、CSI-RSの送信帯域における下り品質を測定する。そして、端末は、CSI-RSの測定結果を基地局に通知（換言すると、報告）する（以下、「CSI報告」、「CSI reporting」又は「CSI-RS reporting」と呼ぶこともある）。
【先行技術文献】
【非特許文献】
【０００５】
【非特許文献１】3GPP TS 38.214 V15.3.0, "NR; Physical layer procedures for data (Release 15)," September 2018
【非特許文献２】ETSI EN 301 893 V2.1.1, "5 GHz RLAN; Harmonised Standard covering the essential requirements of article 3.2 of Directive 2014/53/EU," May 2017
【発明の概要】
【０００６】
しかしながら、免許不要帯における参照信号及び当該参照信号を用いて測定された受信品質報告の送信方法について十分に検討されていない。
【０００７】
本開示の非限定的な実施例は、免許不要帯における参照信号及び当該参照信号を用いて測定された受信品質報告を適切に送信できる基地局、端末及び通信方法の提供に資する。
【０００８】
本開示の一実施例に係る基地局は、キャリアセンスの結果に応じて設定される時間リソースに基づいて、前記キャリアセンスの前に設定される、参照信号の送信タイミング及び端末において前記参照信号を用いて測定された品質情報の報告タイミングのうち少なくとも一つのタイミングを変更する制御回路と、前記変更されたタイミングに基づいて、前記参照信号又は前記品質情報の通信を行う通信回路と、を具備する。
【０００９】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１０】
本開示の一実施例によれば、免許不要帯における参照信号及び当該参照信号を用いて測定された受信品質報告を適切に送信できる。
【００１１】
本開示の一実施例における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】CSI-RS送信とCSI報告との間の対応関係の一例を示す図
【図２】CSI-RS送信の一例を示す図
【図３】CSI報告の一例を示す図
【図４】基地局の一部の構成例を示すブロック図
【図５】端末の一部の構成例を示すブロック図
【図６】基地局の構成例を示すブロック図
【図７】端末の構成例を示すブロック図
【図８】基地局及び端末の動作例を示すシーケンス図
【図９】決定方法２に係るCSI-RS送信の一例を示す図
【図１０】決定方法２に係るCSI報告の一例を示す図
【図１１】決定方法３に係るCSI-RS送信におけるシフト量の一例を示す図
【図１２】決定方法３に係るCSI報告におけるシフト量の一例を示す図
【図１３】決定方法３に係るCSI-RS送信及びCSI報告におけるシフト量の一例を示す図
【発明を実施するための形態】
【００１３】
以下、本開示の実施の形態について図面を参照して詳細に説明する。
【００１４】
例えば、LTE-LAAでは、端末は、Discovery Reference Signal（DRS）に含まれるCSI-RSを用いて受信電力を測定し、測定結果をCSI reference signal received power（CSI-RSRP）として、無線リソース管理（例えば、RRM：Radio Resource Management）のために基地局に報告する。また、端末は、DRSとは別に、CSI-RS単体で周期的に送信されるCSI-RSを用いて下り回線品質を推定し、推定結果を基地局に報告する。
【００１５】
NRのライセンス帯域での運用において、周期的CSI-RS（Periodic CSI-RS)、半周期的CSI-RS（Semi-Persistent CSI-RS）、及び、非周期的CSI-RS（Aperiodic CSI-RS）の３種類の送信方法がサポートされている（例えば、非特許文献１を参照）。
【００１６】
また、NRのアンライセンス帯域での運用においても、端末がCSI-RSを用いて下り回線品質を測定することが検討されている。
【００１７】
しかしながら、基地局又は端末が信号を送信できない区間が発生するアンライセンス帯域におけるCSI-RSの送信方法又はCSI-RSを用いた測定結果（又は推定結果）の報告方法について十分に議論されていない。そこで、以下では、アンライセンス帯域におけるCSI-RSの送信方法又はCSI-RSを用いた測定結果（又は推定結果）の報告方法の一例について説明する。
【００１８】
［CSI-RS送信］
NRでは、基地局から端末へのPeriodic CSI-RS及びSemi-Persistent CSI-RSの送信に関する設定（例えば、送信周期及びスロットオフセット等）は、上位レイヤシグナリング（例えば、RRC：Radio Resource Control）によって決定され、一定周期時間毎に基地局から端末へ送信される。また、Semi-Persistent CSI-RSについては、上記設定に基づくCSI-RS送信のアクティベーション又はディアクティベーションが下り制御情報（例えば、DCI：Downlink Control Information）によって基地局から端末へ通知される。
【００１９】
また、NRでは、基地局から端末へのAperiodic CSI-RSの送信について、例えば、送信設定の候補（例えば、Trigger Stateと呼ばれる）が上位レイヤシグナリングによって端末に事前に設定され、下り制御情報によって送信設定の候補の何れかに基づくCSI-RS送信がトリガされる。
【００２０】
［CSI報告］
一方、端末から基地局へのCSI-RSの測定結果の報告（CSI報告）について、周期的な報告（Periodic CSI reporting）、半周期的な報告（Semi-persistent CSI reporting）、及び、非周期的な報告（Aperiodic CSI reporting）の3種類の方法がサポートされている。
【００２１】
例えば、上記3種類のCSI報告は、対応するCSI-RSの送信方法に応じて設定される。図１は、CSI-RS送信とCSI報告との対応関係の一例を示す。
【００２２】
図１に示すように、Periodic CSI-RS送信に対するCSI報告には、Periodic CSI報告、Semi-Persistent CSI報告及びAperiodic CSI報告の全ての種類が設定可能である。一方、Semi-Persistent CSI-RS送信に対するCSI報告には、Periodic CSI報告がサポートされておらず、Semi-Persistent CSI報告又はAperiodic CSI報告が設定可能である。また、Aperiodic CSI-RS送信に対するCSI報告には、Periodic CSI報告及びSemi-persistent CSI報告がサポートされておらず、Aperiodic CSI報告が設定可能である。
【００２３】
Periodic CSI報告は、上り制御チャネル（例えば、PUCCH：Physical Uplink Control Channel）を用いて送信される。また、Periodic CSI報告の設定は、例えば、上位レイヤシグナリングによって設定される。
【００２４】
また、Aperiodic CSI報告は、上りデータチャネル（例えば、PUSCH：Physical Uplink Shared Channel）を用いて送信される。また、Aperiodic CSI報告の設定は、例えば、Aperiodic CSI-RS送信の設定と同様、上位レイヤシグナリングによって設定の候補が端末に事前に通知され、下り制御情報によって、設定の候補の何れかに基づく報告がトリガされる。
【００２５】
また、Semi-persistent CSI報告には、PUCCHを用いる方法及びPUSCHを用いる方法の双方がサポートされ、各々はPeriodic CSI報告及びAperiodic CSI報告の設定方法と同様である。また、例えば、同一端末において、PUCCHに設定されたSemi-persistent CSI報告の送信タイミングと、PUSCH（例えば、上りデータ信号）の送信タイミングとが重複する場合、Semi-persistent CSI報告は、当該PUSCHに多重して送信（「ピギーバック（piggyback）されて送信」とも呼ぶ）されることもある。
【００２６】
［キャリアセンス］
一般に、アンライセンス帯域では、無線機器は、通信を行う際にアンライセンス帯域において他のエンティティを検出した場合、当該帯域での送信が禁止される（例えば、非特許文献２を参照）。そのため、LTE-LAAでは、基地局又は端末が送信開始時にキャリアセンス（例えば、Listen Before Talk（LBT））を実行することがサポートされている。LBTのサポートは、NRのアンライセンス帯域の運用においても検討されている。
【００２７】
LBTでは、基地局又は端末は、例えば、信号の送信前に、信号の送信タイミングよりも所定時間前のタイミングにおいて、対象となるアンライセンス帯域（又はチャネル）をサーチし、他の装置（例えば、基地局、端末、又は、Wi-Fi（登録商標）装置等）が当該帯域において通信しているか否かを確認する。LBTの結果、基地局又は端末は、他の装置が通信していないことを確認できたアンライセンス帯域を通信に使用する。
【００２８】
また、LBTによって一度使用可能と判断された帯域について、送信可能時間（例えば、Channel Occupancy Time（COT）と呼ぶ）が設定される。基地局又は端末は、COTにおいて信号の送信が可能となり、COTの経過後の通信に関してはLBTを再度行う。
【００２９】
NRのアンライセンス帯域の運用では、LBTによる使用帯域の決定後に、COTの構成を示すCOT構成情報、及び、各COTのスロットフォーマットを示すスロットフォーマット情報（SFI：Slot Format Information）が端末に設定されることが検討されている。
【００３０】
ここで、COT構成情報には、例えば、最大COT長等が含まれてよい。端末は、基地局から当該COT構成情報によって最大COT長が通知された場合、当該最大COT長以内の時間がCOT内の時間であると判断してよい。また、スロットフォーマットとは、スロット中の各シンボルに対する下り（Downlink）及び上り（Uplink）の通信の割当設定である。
【００３１】
このように、NRにおけるアンライセンス帯域の運用では、COT内のスロットフォーマット（例えば、各シンボルが下り通信及び上り通信の何れの通信に使用可能であるか）については、LBTによる使用帯域の設定後に決定されることが想定される。
【００３２】
［アンライセンス帯域におけるCSI-RS送信及びCSI報告］
上述したように、NRでは、Periodic、Semi-Persistent及びAperiodicの3種類のCSI-RS送信及びCSI報告の何れにおいても、CSI-RSの送信、測定及び報告（換言すると、CSI-RS送信、CSI測定及びCSI報告）に使用されるリソース（以下、纏めて「CSI-RSリソース」と呼ぶこともある）の割り当ての候補位置は、上位レイヤシグナリング（例えば、RRC）によって端末に通知される。
【００３３】
一方で、上述したように、アンライセンス帯域では、基地局又は端末は、通信の直前のLBTを実行した結果、帯域に空きが確認できなければ当該通信を実行できない。また、LBTの結果、帯域に空きが確認できたとしても、通信時間は、設定されたCOT長以内に制限される。
【００３４】
また、LBTによって通信が送信可能と判定された帯域のスロットフォーマットについても、上述したように、LBTによって使用帯域が設定された後に、基地局から端末へ通知されることが想定される。
【００３５】
よって、アンライセンス帯域におけるCSI-RSリソースの割り当ては、LBTによる帯域状況の判定結果、COT構成、及び、LBTによる使用帯域の設定後に決定されるスロットフォーマットに基づいて決定される必要がある。
【００３６】
しかし、上述したようにCSI-RSリソースの割り当ては、上位レイヤシグナリングによって端末に通知されるため、例えば、LBTの後に設定されるCOT長及びスロットフォーマットの時間的な変動に柔軟に対応できない場合があり得る。換言すると、上位レイヤシグナリングによる周期的なCSI-RSリソースの割り当ては、当該割り当てられたリソースにおけるLBTによる使用状況の確認結果又はスロットフォーマット設定を考慮していない。そのため、アンライセンス帯域では、CSI-RSリソースを十分に確保できない可能性がある。又は、アンライセンス帯域において、CSI-RSの送信、測定及び報告を実行できないリソースに、CSI-RSリソースが誤って設定されてしまう場合がある。
【００３７】
例えば、Periodic及びSemi-Persistent（ただし、アクティベート時）なCSI-RSの送信、測定及び報告については、上位レイヤシグナリングによって時間方向に周期的にリソース（例えば、送信タイミング又は報告タイミング）が割り当てられる。このとき、割り当てられるリソースの全てにおいて、LBTによる当該リソースに対応する帯域の空きが有り、設定されるCOT内にCSI-RS送信及びCSI報告のタイミングが含まれ、かつ、スロットフォーマット（例えば、各シンボルの下り通信及び上り通信の設定）の全てにおいてCSI-RSの送信、測定及び報告を実行可能に設定される場合、CSI-RSの送信、測定及び報告が実際に実行可能となる。
【００３８】
図２は、Periodic（又はSemi-persistent）なCSI-RSの送信、測定及び報告の動作例を示す。図２に示すように、Periodic CSI-RSの送信タイミング（換言すると、CSI-RSリソース）は、上位レイヤシグナリングによって、時間方向に周期的に割り当てられる。また、図２では、各LTBの結果、COT#m及びCOT#nが設定され、各COT内のスロットフォーマットにおいてシンボル構成（例えば、下り（DL）シンボル（「D」と表す）又は上り（UL）シンボル（「U」と表す））が設定される。
【００３９】
図２に示す例において、例えば、COT#mでは、Periodic CSI-RSの送信タイミングに対応するリソースはDLシンボル（D）に設定される。よって、基地局は、当該DLシンボルにおいてPeriodic CSI-RSを送信できる。
【００４０】
一方、図２に示す例において、COT#mとCOT#nとの間の期間、つまり、COT外に割り当てられたPeriodic CSI-RSの送信タイミングでは、基地局は、Periodic CSI-RSを送信できない。また、図２に示す例において、例えば、COT#nでは、Periodic CSI-RSの送信タイミングに対応するリソースはULシンボル（U）に設定される。よって、基地局は、当該ULシンボルにおいて、下り信号であるPeriodic CSI-RSを送信できない。
【００４１】
また、AperiodicなCSI-RSの送信、測定及び報告については、上位レイヤシグナリングによって設定された候補の中から、下り制御情報によって選択された何れかの設定に基づいて、CSI-RSの送信、測定及び報告が実行される。
【００４２】
上位レイヤシグナリングによるAperiodic CSI-RSのリソース割り当ては、Periodic及びSemi-PersistentなCSI-RS送信・測定・報告と同様、当該割り当てられたリソースにおけるLBTによる使用状況の確認結果又はスロットフォーマット設定を考慮していない。そのため、アンライセンス帯域において、CSI-RSの送信、測定及び報告を実行できないリソースに、CSI-RSリソースが誤って設定されてしまう場合がある。
【００４３】
また、Aperiodic CSI報告については、例えば、端末に対して、DCIによるトリガの後、規定された計算時間後にCSI報告を基地局へ送信するように設定される。
【００４４】
しかし、アンライセンス帯域では、上述したように、COT長が制限される。そのため、設定されたCSI報告のリソース（例えば、報告タイミング）がCOT外となってしまう場合があり得る。図３は、AperiodicなCSI-RSの送信、測定及び報告の動作例を示す。
【００４５】
図３に示す例では、DCIによってトリガされたAperiodic CSI-RSの送信タイミングは、LTB結果に基づいて設定されたCOT内である。よって、基地局は、DCIによってトリガされた送信タイミングにおいてAperiodic CSI-RSを送信できる。一方、図３に示す例では、DCIによってトリガされたAperiodic CSI報告の送信タイミングは、LTB結果に基づいて設定されたCOT外である。よって、端末は、Aperiodic CSI報告を送信できない。
【００４６】
上述したように、上位レイヤシグナリングによるCSI-RSリソースの割り当てでは、動的に変動するLBTによる使用帯域の状況確認結果又は使用帯域の設定後に決定されるCOT長及びスロットフォーマットに柔軟性に対応できない場合がある。
【００４７】
本開示の一実施例では、アンライセンス帯域の運用において、CSI-RSの送信、測定及び報告を適切に実行できる方法について説明する。
【００４８】
［DMTC］
LTE-LAAにおけるDRSにはCSI-RSを含めることができる。DRSには、リソースが周期的に割り当てられる。しかし、上述したように、LBTの結果によっては、基地局は、割り当てられたリソースにおいてDRSを送信できない場合がある。そこで、LTE-LAAでは、例えば、DRSの送信可能時間（例えば、DMTC：DRS measurement timing configurationと呼ぶ）が各DRS周期に設けられる。DMTC内の任意のタイミングにおけるDRSの送信がサポートされている。なお、DMTC内において基地局がDRSを送信するタイミングについては端末には通知されず、端末はDMTCにおいてモニタし続ける。
【００４９】
（実施の形態１）
［通信システムの概要］
本実施の形態に係る通信システムは、基地局１００、及び、端末２００を備える。
【００５０】
図４は、本実施の形態に係る基地局１００の一部の構成例を示すブロック図である。図４に示す基地局１００において、制御部１０２（制御回路に相当）は、キャリアセンスの結果に応じて設定される時間リソース（例えば、COT構成又はスロットフォーマット等）に基づいて、キャリアセンスの前に設定される、参照信号（例えば、CSI-RS）の送信タイイング及び端末２００において参照信号を用いて測定された品質情報（例えば、CSI）の報告タイミングのうち少なくとも一つのタイミングを変更する。送信部１０８及び受信部１０９（通信回路に相当）は、変更されたタイミングに基づいて、参照信号又は品質情報の通信を行う。
【００５１】
図５は、本実施の形態に係る端末２００の一部の構成例を示すブロック図である。図５に示す端末２００において、制御部２１２は、キャリアセンスの結果に応じて設定される時間リソース（例えば、COT構成又はスロットフォーマット等）に基づいて、キャリアセンスの前に設定される、基地局１００からの参照信号（例えば、CSI-RS）の送信タイミング及び参照信号を用いて測定する品質情報（例えば、CSI）の報告タイミングのうち少なくとも一つのタイミングを変更する。受信部２０１及び送信部２１４（通信回路に相当）は、変更されたタイミングに基づいて、参照信号又は品質情報の通信を行う。
【００５２】
［基地局の構成］
図６は、本実施の形態に係る基地局１００の構成例を示すブロック図である。図６において、基地局１００は、CSI-RS設定部１０１と、制御部１０２と、DCI生成部１０３と、CSI-RS生成部１０４と、誤り訂正符号化部１０５と、変調部１０６と、信号割当部１０７と、送信部１０８と、受信部１０９と、信号分離部１１０と、復調部１１１と、誤り訂正復号部１１２と、キャリアセンス部１１３と、COT設定部１１４と、を有する。
【００５３】
CSI-RS設定部１０１は、例えば、CSI-RSに関するパラメータ（例えば、CSI-RSリソース等のCSI-RSの送信、測定及び報告に関するパラメータ）を設定し、設定したパラメータを示すCSI-RS設定情報を生成する。CSI-RS設定部１０１は、CSI-RS設定情報を制御部１０２及びCSI-RS生成部１０４へ出力する。また、CSI-RS設定部１０１は、CSI-RS設定情報を、上位レイヤシグナリング（又は上位レイヤ信号と呼ぶ）として、誤り訂正符号化部１０５へ出力する。
【００５４】
制御部１０２は、CSI-RS設定部１０１から入力されるCSI-RS設定情報、及び、COT設定部１１４から入力されるCOT設定情報（一例は後述する）に基づいて、例えば、CSI-RS送信のタイミング及びCSI報告のタイミングの少なくとも一つを制御する。制御部１０２は、設定したCSI-RS送信のタイミング及びCSI報告のタイミングを示すタイミング情報を、例えば、CSI-RS生成部１０４、信号割当部１０７及び信号分離部１１０へ出力する。また、制御部１０２は、例えば、CSI-RS設定情報に示されるCSI-RS送信及びCSI報告に関する設定（例えば、タイミング情報と異なる設定を含む）を示すリソース情報を信号割当部１０７及び信号分離部１１０へ出力する。
【００５５】
また、制御部１０２は、設定したタイミング情報を端末２００へ通知する場合（例えば、後述する決定方法３を参照）、タイミング情報をDCI生成部１０３へ出力してよい。
【００５６】
なお、制御部１０２におけるCSI-RS送信のタイミング及びCSI報告のタイミングの設定方法の一例については後述する。
【００５７】
DCI生成部１０３は、例えば、COT設定部１１４から入力されるCOT設定情報、又は、制御部１０２から入力されるタイミング情報に基づいて、下りデータ（例えば、DLデータ）の割り当て、又は、上りデータ（例えば、ULデータ）の割り当てを示す割当情報を示す制御信号であるDCIを生成する。なお、DCIに示される制御情報には、CSI-RS送信又はCSI報告に関する情報（例えば、Semi-persistentな運用におけるアクティベーション又はディアクティベーションを示す情報、又は、Aperiodicな運用におけるトリガ）が含まれてよい。
【００５８】
DCI生成部１０３は、DCIを信号割当部１０７へ送信データとして出力する。また、DCI生成部１０３は、DLデータの割当情報（例えば、CSI-RS送信に関するリソース情報を含む）を制御信号として信号割当部１０７へ出力する。また、DCI生成部１０３は、ULデータの割当情報（例えば、CSI報告に関するリソース情報を含む）を制御信号として信号分離部１１０へ出力する。また、DCI生成部１０３は、CSI-RSに関する割当情報（例えば、アクティベーション情報又はトリガ情報）を制御信号としてCSI-RS生成部１０４へ出力する。
【００５９】
CSI-RS生成部１０４は、CSI-RS設定部１０１から入力されるCSI-RS設定情報、制御部１０２から入力されるタイミング情報、及び、DCI生成部１０３から入力される制御情報に基づいて、基地局１００から端末２００へ送信するCSI-RSを生成する。CSI-RS生成部１０４は、生成したCSI-RSを信号割当部１０７へ出力する。
【００６０】
誤り訂正符号化部１０５は、送信データ信号（DLデータ信号）、及び、CSI-RS設定部１０１から入力される上位レイヤのシグナリングを入力とし、入力信号を誤り訂正符号化し、符号化後の信号を変調部１０６へ出力する。
【００６１】
変調部１０６は、誤り訂正符号化部１０５から入力される信号に対して変調処理を施し、変調後のデータ信号を信号割当部１０７へ出力する。
【００６２】
信号割当部１０７は、例えば、DCI生成部１０３から入力される割当情報及び制御部１０２から入力される制御情報に基づいて、変調部１０６から入力されるデータ信号（例えば、DLデータ信号又は上位レイヤシグナリング）、DCI生成部１０３から入力されるDCI、及び、CSI-RS生成部１０４から入力されるCSI-RSの少なくとも１つを含むDL信号（換言すると、送信信号）をリソースに割り当てる。形成された送信信号は、送信部１０８へ出力される。
【００６３】
送信部１０８は、信号割当部１０７から入力される信号に対してアップコンバート等の無線送信処理を施し、アンテナを介して端末２００へ送信する。
【００６４】
受信部１０９は、端末２００から送信された信号をアンテナを介して受信し、ダウンコンバート等の無線受信処理を施し、信号分離部１１０及びキャリアセンス部１１３へ出力する。
【００６５】
信号分離部１１０は、例えば、制御部１０２から入力される制御情報、及び、DCI生成部１０３から入力される割当情報に基づいて、受信部１０９から入力される信号を分離する。信号分離部１１０は、分離されたデータ信号（例えば、ULデータ信号）を復調部１１１へ出力する。また、信号分離部１１０は、分離されたCSI報告信号を、図示しない処理部（例えば、スケジューラ等）に出力する。
【００６６】
復調部１１１は、信号分離部１１０から入力される信号に対して復調処理を施し、得られた信号を誤り訂正復号部１１２へ出力する。
【００６７】
誤り訂正復号部１１２は、復調部１１１から入力される信号を復号し、端末２００からの受信データ信号（ULデータ信号）を得る。
【００６８】
キャリアセンス部１１３は、LBTによる帯域の使用状況を確認（換言すると、調査又はサーチ）する場合、受信部１０９から入力される信号を用いて、LBTによる帯域の使用状況を調査し、基地局１００が通信に使用する帯域を判定する。キャリアセンス部１１３は、判定結果をCOT設定部１１４に出力する。
【００６９】
COT設定部１１４は、キャリアセンス部１１３から入力される帯域使用状況の判定結果に基づいて、基地局１００が通信に使用可能な帯域に設定されたCOTに関するパラメータを設定する。COTに関するパラメータには、例えば、COT長（又は最大COT長）、及び、スロットフォーマット（換言すると、COT内のシンボル構成）が含まれてよい。COT設定部１１４は、設定したCOTに関するパラメータを示すCOT設定情報（又は、COT構成情報と呼ぶ）を、制御部１０２及びDCI生成部１０３へ出力する。
【００７０】
［端末の構成］
図７は、本実施の形態に係る端末２００の構成例を示すブロック図である。図７において、端末２００は、受信部２０１と、信号分離部２０２と、DCI受信部２０３と、復調部２０４と、誤り訂正復号部２０５と、CSI測定部２０６と、CSI-RS設定部２０７と、CSI報告生成部２０８と、誤り訂正符号化部２０９と、変調部２１０と、キャリアセンス部２１１と、制御部２１２と、信号割当部２１３と、送信部２１４と、を有する。
【００７１】
受信部２０１は、受信信号をアンテナを介して受信し、ダウンコンバート等の受信処理を施した後に信号分離部２０２及びキャリアセンス部２１１へ出力する。
【００７２】
信号分離部２０２は、受信部２０１から入力される信号のうち、下り制御チャネル（例えば、PDCCH：Physical Downlink Control Channel）候補の位置（換言すると、サーチスペース）に対応する信号成分を分離し、DCI受信部２０３へ出力する。また、信号分離部２０２は、DCI受信部２０３から入力される割当情報に基づいて、受信部２０１から入力される信号から、DL信号（例えば、DLデータ信号又は上位レイヤシグナリング）を分離し、復調部２０４へ出力する。
【００７３】
また、信号分離部２０２は、DCI受信部２０３から入力されるCSI-RS設定情報、及び、制御部２１２から入力されるタイミング情報に基づいて、受信部２０１から入力される信号からCSI-RSを分離し、CSI測定部２０６へ出力する。
【００７４】
DCI受信部２０３は、信号分離部２０２から入力される信号成分をモニタ（換言すると、ブラインド復号）して、端末２００宛てのDCIを検出する。DCI受信部２０３は、モニタによって検出されたDCIを復号し受信する。DCI受信部２０３は、復号されたDCIのうち、DLの割当情報を信号分離部２０２へ出力し、ULの割当情報を信号割当部２１３へ出力し、COT設定情報をCSI報告生成部２０８及び制御部２１２へ出力する。
【００７５】
復調部２０４は、信号分離部２０２から入力される信号に対して、復調処理を施し、得られた復調信号を誤り訂正復号部２０５へ出力する。
【００７６】
誤り訂正復号部２０５は、復調部２０４から入力される信号を復号し、得られた上位レイヤシグナリングをCSI-RS設定部２０７へ出力し、得られた受信データ信号を出力する。
【００７７】
CSI測定部２０６は、信号分離部２０２から入力されるCSI-RSを用いて、例えば、CSI-RSの送信帯域における下り品質（又は受信品質）を測定する。CSI測定部２０６は、測定結果を示すCSI情報をCSI報告生成部２０８へ出力する。
【００７８】
CSI-RS設定部２０７は、誤り訂正復号部２０５から入力される上位レイヤシグナリングに基づいて、基地局１００において設定された、CSI-RSの送信、測定及び報告の設定（例えば、CSI-RSリソース等）を検出し、端末２００におけるCSI-RS設定情報として保持する。CSI-RS設定部２０７は、CSI-RS設定情報をCSI報告生成部２０８及び制御部２１２へ出力する。
【００７９】
CSI報告生成部２０８は、CSI測定部２０６から入力されるCSI情報、CSI-RS設定部２０７から入力されるCSI-RS設定情報、DCI受信部２０３から入力される制御情報、及び、制御部２１２から入力される制御情報に基づいて、基地局１００へ送信するCSI報告信号を生成する。CSI報告生成部２０８は、生成したCSI報告信号を信号割当部２１３へ出力する。
【００８０】
誤り訂正符号化部２０９は、送信データ信号（ULデータ信号）を入力とし、送信データ信号を誤り訂正符号化し、符号化後の信号を変調部２１０へ出力する。
【００８１】
変調部２１０は、誤り訂正符号化部２０９から入力される信号を変調し、変調信号を信号割当部２１３へ出力する。
【００８２】
キャリアセンス部２１１は、LBTによる帯域の使用状況を確認（換言すると、調査又はサーチ）する場合、受信部２０１から入力される信号を用いて、LBTによる帯域の使用状況を調査し、端末２００が通信に使用する帯域を判定する。キャリアセンス部２１１は、判定結果を制御部２１２に出力する。
【００８３】
制御部２１２は、CSI-RS設定部２０７から入力されるCSI-RS設定情報、DCI受信部２０３から入力されるCOT設定情報、及び、キャリアセンス部２１１から入力される判定結果に基づいて、例えば、CSI-RSの受信タイミング及びCSI報告信号の送信タイミングの少なくとも一つを制御する。制御部２１２は、設定したCSI-RSの受信のタイミング及びCSI報告信号の送信タイミングを示すタイミング情報を、例えば、CSI報告生成部２０８、信号分離部２０２及び信号割当部２１３へ出力する。また、制御部２１２は、例えば、CSI-RS設定情報に示されるCSI-RS送信及びCSI報告に関する設定（例えば、タイミング情報と異なる設定を含む）を示すリソース情報を信号分離部２０２及び信号割当部２１３へ出力する。
【００８４】
また、制御部２１２は、CSI-RS送信及びCSI報告のタイミング情報を含むDCIを基地局１００から受信する場合（例えば、後述する決定方法３を参照）、DCI受信部２０３から入力されるタイミング情報に基づいて、CSI-RS及びCSI報告のタイミングを決定してよい。
【００８５】
なお、制御部２１２におけるCSI-RSの受信タイミング及びCSI報告の送信タイミングの設定方法の一例については後述する。
【００８６】
信号割当部２１３は、DCI受信部２０３から入力される情報（例えば、割当情報）、及び、制御部２１２から入力される制御情報に基づいて、UL信号を割り当てるリソースを特定する。信号割当部２１３は、特定したリソースに、変調部２１０から入力される信号（例えば、ULデータ信号）及びCSI報告生成部２０８から入力されるCSI報告信号をそれぞれ割り当てて、送信部２１４へ出力する。
【００８７】
送信部２１４は、信号割当部２１３から入力される信号に対してアップコンバート等の無線送信処理を施し、アンテナを介して送信する。
【００８８】
［基地局１００及び端末２００の動作］
次に、基地局１００（図６を参照）及び端末２００（図７を参照）の動作について詳細に説明する。
【００８９】
図８は、本実施の形態に係る基地局１００及び端末２００の処理の一例を示すシーケンス図である。
【００９０】
図８において、基地局１００は、CSI-RSリソース等のCSI-RS送信及びCSI報告に関するパラメータを設定する（ＳＴ１０１）。基地局１００は、設定したパラメータを含むCSI-RS設定情報を、例えば、上位レイヤシグナリングによって端末２００へ通知（換言すると、設定）する（ＳＴ１０２）。端末２００は、上位レイヤシグナリングによって通知されるCSI-RS設定情報を取得する（ＳＴ１０３）。
【００９１】
基地局１００は、例えば、アンライセンス帯域において通信を開始する前にLBT（換言すると、キャリアセンス）を行う（ＳＴ１０４）。
【００９２】
基地局１００は、LBTの結果に基づいて、例えば、COT構成又はCOT内のスロットフォーマット等を設定する（ＳＴ１０５）。
【００９３】
基地局１００は、例えば、CSI-RS設定情報及びCOT設定情報に基づいて、CSI-RS又はCSI報告の送信リソース（例えば、タイミング）を決定する（ＳＴ１０６）。
【００９４】
基地局１００は、例えば、COT設定情報を含むDCIを端末２００へ送信する（ＳＴ１０７）。なお、DCIには、基地局１００が決定したCSI-RS又はCSI報告の送信リソースを示す情報が含まれてもよい（例えば、後述する決定方法３を参照）。
【００９５】
端末２００は、例えば、基地局１００と同様にして、CSI-RS設定情報及びCOT設定情報に基づいて、CSI-RS又はCSI報告の送信リソース（例えば、タイミング）を決定する（ＳＴ１０８）。又は、端末２００は、例えば、基地局１００からのDCIに示される送信リソース情報に基づいて、CSI-RS又はCSI報告の送信リソースを決定してもよい（例えば、後述する決定方法３を参照）。
【００９６】
基地局１００は、CSI-RSを送信する（ＳＴ１０９）。端末２００は、基地局１００から送信されたCSI-RSを用いて生成したCSI報告信号を基地局１００へ送信する（ＳＴ１１０）。
【００９７】
次に、基地局１００及び端末２００におけるCSI-RS送信及びCSI報告を送信するリソース（換言すると、送信タイミング）の決定方法の一例について説明する。
【００９８】
基地局１００及び端末２００は、LBTによる帯域の使用状況を確認後（換言すると、キャリアセンス後）に設定されるCOT設定（例えば、COT長及びCOT内のスロットフォーマット構成等）に基づいて、CSI-RSの送信、測定及び報告に用いるCSI-RSリソースを決定する。
【００９９】
これにより、基地局１００及び端末２００は、アンライセンス帯域において発生し得る送信できない区間（例えば、COT外の区間又はスロットフォーマットのシンボル構成に起因して送信できない区間）を避けたリソースを決定できる。よって、ライセンス帯域と同程度のCSI-RSの送信、測定及び報告の機会をアンライセンス帯域においても保証できる。
【０１００】
本実施の形態では、一例として、CSI-RSリソースの決定方法として、上述したようにLBTよりも前に設定されたCSI-RSリソースを、LBTの結果（例えば、帯域（又はチャネル）の空き状況又はCOT内のスロットフォーマット設定等）に応じて調整（換言すると、変更）する方法について説明する。
【０１０１】
以下、本実施の形態に係る、CSI-RSリソースの決定方法１〜３についてそれぞれ説明する。
【０１０２】
＜決定方法１＞
決定方法１では、基地局１００及び端末２００は、例えば、LBT結果又はスロットフォーマット設定（例えば、シンボル構成）に基づいて、LBTよりも前に設定されたCSI-RSリソースを用いたCSI-RSの送信、測定及び報告を行うか否かを判断する。
【０１０３】
例えば、基地局１００及び端末２００は、LBTによって、LBTよりも前に設定されたCSI-RSリソースを使用不可と判断された場合、CSI-RSの送信、測定及び報告の中止（又はキャンセル）を決定する。
【０１０４】
また、例えば、基地局１００及び端末２００は、LBTよりも前に設定されたCSI-RSリソースに対応する送信方向（例えば、CSI-RS送信の場合はDL、CSI報告の場合はUL）と、スロットフォーマット設定において当該CSI-RSリソースに対応するシンボルに設定された送信方向（例えば、DLシンボル又はULシンボル）とが一致しない場合、CSI-RSの送信、測定及び報告の中止を決定する。例えば、CSI-RS送信のリソースがULシンボルに設定された場合、基地局１００はCSI-RS送信を中止し、端末２００はCSI測定を中止する。また、CSI報告のリソースがDLシンボルに設定された場合、端末２００はCSI報告を中止する。
【０１０５】
一方、LBTによって、CSI-RSリソースを使用可能と判断され、かつ、CSI-RSリソースに対応する送信方向とスロットフォーマット設定において当該CSI-RSリソースに対応するシンボルの送信方向とが一致する場合、基地局１００及び端末２００は、当該リソースを用いて、CSI-RSの送信、測定及び報告を行う。
【０１０６】
なお、LBTによる帯域の空き状況に関する情報、及び、使用可能帯域におけるシンボル構成は、基地局１００と端末２００との間において共有される。
【０１０７】
決定方法１によれば、基地局１００及び端末２００は、CSI-RSの送信、測定及び報告を行うか否かを判断するための制御信号を新たに追加すること無く、不要なCSI-RSの送信、測定及び報告を中止できる。
【０１０８】
＜決定方法２＞
決定方法２では、基地局１００及び端末２００は、例えば、LBT結果又はスロットフォーマット設定（例えば、シンボル構成）に基づいて、LBTよりも前に設定されたCSI-RSリソースを変更（換言すると、時間方向にシフト）する。そして、基地局１００及び端末２００は、変更後のCSI-RSリソースを用いて、CSI-RSの送信、測定及び報告を行う。
【０１０９】
例えば、基地局１００及び端末２００は、LBTによって、LBTよりも前に設定されたCSI-RSリソースを使用不可と判断された場合、当該CSI-RSリソースをLBTにおいて使用可能と判断されるリソースに変更（時間方向にシフト）してもよい。
【０１１０】
また、例えば、基地局１００及び端末２００は、LBTよりも前に設定されたCSI-RSリソースに対応する送信方向（例えば、CSI-RS送信の場合はDL、CSI報告の場合はUL）と、スロットフォーマット設定において当該CSI-RSリソースに対応するシンボルに設定された送信方向（例えば、DLシンボル又はULシンボル）とが一致しない場合、当該CSI-RSリソースを、送信方向（DL又はUL）が一致するリソース（例えば、CSI-RS送信の場合はDLシンボル、CSI報告の場合はULシンボル）に変更（時間方向にシフト）してもよい。
【０１１１】
図９は、決定方法２におけるCSI-RS送信の一例を示す。図９に示す例では、CSI-RS（一例としてPeriodic CSI-RS）送信のタイミングＡ及びタイミングＢがLBTの前に基地局１００から端末２００へ通知されている。
【０１１２】
図９において、CSI-RS送信タイミングであるタイミングＡには、LBT結果に基づいて設定されたスロットフォーマット設定ではDLシンボル（D）が設定される。よって、タイミングＡに対応するリソースは、LBTによって使用可能と判断されたリソース（換言すると、COT内）である。また、タイミングＡに対応するリソースでは、CSI-RS送信（換言するとDL送信）の送信方向と、スロットフォーマット設定におけるシンボルに設定された送信方向（DLシンボル）とが一致する。よって、基地局１００は、タイミングＡにおいてCSI-RSを端末２００へ送信する。また、端末２００は、タイミングＡにおいてCSI-RSを基地局１００から受信し、CSI測定を行う。
【０１１３】
一方、図９において、CSI-RS送信タイミングであるタイミングＢには、LBT結果に基づいて設定されたスロットフォーマット設定ではULシンボル（U）が設定される。よって、タイミングＢに対応するリソースは、LBTによって使用可能と判断されたリソース（換言すると、COT内）である。しかし、タイミングＢに対応するリソースでは、CSI-RS送信（換言するとDL送信）の送信方向と、スロットフォーマット設定におけるシンボルに設定された送信方向（ULシンボル）とは一致しない。
【０１１４】
そこで、基地局１００は、図９に示すように、CSI-RS送信タイミング（例えば、送信リソース）を、タイミングＢから、DLシンボルに対応するタイミングＢ’へ変更（シフト）する。そして、基地局１００は、タイミングＢ’においてCSI-RSを端末２００へ送信する。また、端末２００は、基地局１００と同様に、CSI-RSの受信タイミングを、タイミングＢからタイミングＢ’に変更して、CSI-RSを受信し、CSI測定を行う。
【０１１５】
図１０は、決定方法２におけるCSI報告の一例を示す。図１０に示す例では、CSI（一例としてPeriodic CSI）報告のタイミングＣ及びタイミングＤがLBTの前に基地局１００から端末２００へ通知されている。
【０１１６】
図１０において、CSI報告の送信タイミングであるタイミングＣには、LBT結果に基づいて設定されたスロットフォーマット設定ではULシンボル（U）が設定される。よって、タイミングＣに対応するリソースは、LBTによって使用可能と判断されたリソース（換言すると、COT内）である。また、タイミングＣに対応するりソースでは、CSI報告（換言するとUL送信）の送信方向と、スロットフォーマット設定におけるシンボルに設定された送信方向（ULシンボル）が一致する。よって、端末２００は、タイミングＣにおいてCSI報告信号を基地局１００へ送信する。また、基地局１００は、タイミングＣにおいてCSI報告信号を端末２００から受信する。
【０１１７】
一方、図１０において、CSI報告の送信タイミングであるタイミングＤには、LBT結果に基づいて設定されたスロットフォーマット設定ではDLシンボル（D）が設定される。よって、タイミングＤに対応するリソースは、LBTによって使用可能と判断されたリソース（換言すると、COT内）である。しかし、タイミングＤに対応するリソースでは、CSI報告（換言すると、UL送信）の送信方向と、スロットフォーマット設定におけるシンボルに設定された送信方向とは一致しない。
【０１１８】
そこで、端末２００は、図１０に示すように、CSI報告の送信タイミングを、タイミングＤから、ULシンボルに対応するタイミングＤ’へ変更（シフト）する。そして、端末２００は、タイミングＤ’においてCSI報告を基地局１００へ送信する。また、基地局１００は、端末２００と同様に、CSI報告の受信タイミングを、タイミングＤからタイミングＤ’に変更して、CSI報告を受信する。
【０１１９】
このように、基地局１００及び端末２００は、CSI-RS送信及びCSI報告の送信タイミングを、各々が送信可能なタイミングに変更する。例えば、基地局１００及び端末２００は、COT内のCSI-RS送信のタイミングに対応するシンボルがULシンボルの場合、CSI-RS送信のタイミングを、COT内のDLシンボルにシフトする。また、基地局１００及び端末２００は、COT内のCSI報告の送信タイミングに対応するシンボルがDLシンボルの場合、CSI報告の送信タイミングを、COT内のULシンボルにシフトする。
【０１２０】
これにより、決定方法２によれば、CSI-RSの送信、測定及び報告の機会損失を防止できる。
【０１２１】
なお、CSI-RS送信及びCSI報告の送信タイミングのシフトにおけるシフト量、及び、シフト方向については後述する。
【０１２２】
また、図９及び図１０では、CSI-RS送信及びCSI報告に設定される送信タイミングが、COT内のリソースに対応する場合について説明した。しかし、決定方法２では、CSI-RS送信及びCSI報告に設定される送信タイミングがCOT外の場合にも、基地局１００及び端末２００は、上述したように、当該送信タイミングを、COT内の対応するシンボルのタイミングへシフトすればよい。
【０１２３】
＜決定方法３＞
決定方法３では、基地局１００は、決定方法２と同様、LBT結果又はスロットフォーマット設定（例えば、シンボル構成）に基づいて、LBTよりも前に設定されたCSI-RSリソースを変更（換言すると、時間方向にシフト）する。
【０１２４】
決定方法３では、基地局１００は、変更後のCSI-RSリソース（換言すると、変更後のCSI-RSを用いてCSI-RSの送信、測定及び報告を行うこと）を端末２００へ通知する。端末２００は、基地局１００から通知されるDCIに基づいて、変更後のCSI-RSリソースを特定する。
【０１２５】
そして、基地局１００及び端末２００は、変更後のCSI-RSリソースを用いて、CSI-RSの送信、測定及び報告を行う。
【０１２６】
例えば、基地局１００は、CSI-RS送信又はCSI報告の送信タイミングの変更内容（例えば、シフト方向及びシフト量の少なくとも一つ）を、下り制御情報（例えば、DCI）によって端末２００へ通知してよい。
【０１２７】
このように、基地局１００は、CSI-RS送信及びCSI報告の送信タイミングを調整した場合、調整後の送信タイミングを示す情報を端末２００へ通知する。これにより、基地局１００は、例えば、LBT結果又はスロットフォーマット設定に応じて、CSI-RS送信又はCSI報告の送信タイミングの変更を動的に調整できる。
【０１２８】
例えば、CSI-RS送信及びCSI報告の送信タイミングのシフト量と、DCIによって通知される値（例えば、シグナリング値）との関連付け（例えば、テーブル又は算出式でもよい）が基地局１００と端末２００との間で共有されてよい。基地局１００は、DCIの値によって、関連付けの中の決定したシフト量を端末２００へ通知できる。
【０１２９】
なお、シフト量の単位は、例えば、スロット単位でもよく、シンボル単位でもよく、スロット単位とシンボル単位との組み合わせでもよい。
【０１３０】
また、シフト量の通知を行うDCIは、例えば、複数の端末に対して共通の通知を行うgroup-commonタイプのDCI（又は、GC-PDCCH：Group Common PDCCHとも呼ぶ）でもよく、UE個別に通知を行うタイプのDCI（又は、UE specific PDCCHとも呼ぶ）でもよい。
【０１３１】
一例として、図１１は、CSI-RS送信に関するスロット単位のシフト量を通知する場合のシグナリング値とシフト量との関連付け（テーブル）の一例を示す。また、図１２は、CSI報告に関するスロット単位のシフト量を通知する場合のシグナリング値とシフト量との関連付け（テーブル）の一例を示す。また、図１３は、CSI-RS送信及びCSI報告に関するスロット単位とシンボル単位との組み合わせでシフト量を通知する場合のシグナリングとシフト量との関連付け（テーブル）の一例を示す。
【０１３２】
基地局１００は、CSI-RS送信又はCSI報告の送信タイミングをシフトした場合、例えば、図１１、図１２又は図１３に従って、シフト量に応じたシグナリング値を示すDCIを端末２００へ通知する。端末２００は、例えば、図１１、図１２又は図１３に従って、DCIによって通知されるシグナリング値に対応するシフト量を特定する。
【０１３３】
なお、図１１、図１２及び図１３に示すシフト量は一例であり、これらに限定されない。例えば、シフト量は、０，１，２，３の何れかに限定されず、他のシフト量の値でもよい。また、シフト量の候補は４種類に限らず、他の個数の候補（換言すると、他のビット数のシグナリング値）が設定されてもよい。
【０１３４】
以上、決定方法１〜３についてそれぞれ説明した。
【０１３５】
このように、本実施の形態では、基地局１００及び端末２００は、LBT（換言すると、キャリアセンス）の結果に応じて設定される時間リソース（例えば、COT又はCOT内のシンボル構成）に基づいて、LBTの前に設定される、CSI-RSの送信タイミング及びCSIの報告タイミングの少なくとも一つのタイミングを変更する。そして、基地局１００及び端末２００は、変更されたタイミングに基づいて、CSI-RS又はCSI報告の通信を行う。
【０１３６】
これにより、例えば、CSI-RSリソースの割り当てが上位レイヤシグナリングによって基地局１００から端末２００へ通知される場合でも、基地局１００及び端末２００は、COT長及びスロットフォーマット等の時間的な変動に柔軟に対応して、CSI-RSの送信、測定及び報告のためのリソースを確保できる。
【０１３７】
よって、本実施の形態によれば、基地局１００及び端末２００は、基地局１００又は端末２００が信号を送信できない区間が発生する免許不要帯域（例えば、アンライセンス帯域）において、CSI-RS又はCSI報告を適切に送信できる。
【０１３８】
［シフト方向及びシフト量について］
以下、決定方法２及び決定方法３において説明したCSI-RS又はCSI報告の送信タイミングに対するシフト方向及びシフト方向について説明する。
【０１３９】
決定方法２及び決定方法３において、CSI-RS送信又はCSI報告の送信タイミングの時間方向におけるシフト方向は、例えば、スロットフォーマットにおける、上位レイヤシグナリングによって設定されたCSI-RSリソースに対応するシンボル構成に応じて決定されてもよい。
【０１４０】
例えば、図９に示すタイミングＢのように、上位レイヤシグナリングによって設定されたCSI-RSリソース（タイミングＢ）に対応するシンボル構成がULシンボルの場合、CSI-RSの送信タイミングのシフト方向は、時間領域において前方（換言すると、早める方向）に決定されてよい。
【０１４１】
また、例えば、図１０に示すタイミングＤのように、上位レイヤシグナリングによって設定されたCSI-RSリソース（タイミングＤ）に対応するシンボル構成がDLシンボルの場合、CSI報告の送信タイミングのシフト方向は、時間領域において後方（換言すると、遅らせる方向）に決定されてよい。
【０１４２】
ここで、例えば、図９及び図１０に示すように、COT内のスロットフォーマット設定では、DLシンボルが先に配置され、ULシンボルが後に配置される場合がある。換言すると、COT内のスロットフォーマット設定では、下りバースト（DL burst）、上りバースト（UL burst）の順に配置される場合がある。この場合、図９に示すように、CSI-RS送信タイミングが、タイミングＢ（ULシンボル）より前方にシフトされることで、ULより前に配置されるDLシンボルのタイミングＢ’にシフトできる。同様に、図１０に示すように、CSI報告の送信タイミングが、タイミングＤ（DLシンボル）より後方にシフトされることで、DLシンボルより後に配置されるULシンボルのタイミングＤ’にシフトできる。
【０１４３】
または、上述したシフト方向の決定によって、例えば、下り信号（DLシンボル）と上り信号（ULシンボル）との間に生じる可能性のある無送信区間（図示せず）にCSI-RS送信又はCSI報告の送信タイミングがシフトされる場合もある。この場合、基地局１００及び端末２００は、当該無送信区間において、CSI-RSの送信、測定及び報告を実行できるので、アンライセンス帯域におけるリソースの使用効率を向上できる。
【０１４４】
なお、シフト方向の決定方法は、上述した方法に限定されない。ただし、CSI報告の送信タイミングについては、時間方向で前のリソースにシフトされると、端末２００における当該CSI報告の生成処理が、シフト後のリソース（換言すると、CSI報告の送信タイミング）に間に合わない場合がある。そのため、CSI報告の送信タイミングのシフト（換言すると、シフト量）は、例えば、当該CSI報告の生成処理がCSI報告の送信に間に合う範囲内において設定されてもよい。又は、端末２００は、例えば、当該CSI報告の生成処理がシフト後の送信タイミングに間に合わない場合、CSI報告を中止してもよい。この場合、CSI-RS送信とCSI報告との間において送信タイミングのシフト量は互いに依存せずに、個別に決定されてもよい。
【０１４５】
また、決定方法２及び決定方法３において、CSI-RSの送信、測定及び報告がPeriodicな運用の場合、CSI-RS送信又はCSI報告の送信タイミングのシフト量の最大値は、Periodicな運用における周期に応じて制限されてよい。
【０１４６】
例えば、CSI-RSの送信、測定及び報告において周期が4スロットに設定される場合、CSI-RS送信又はCSI報告の送信タイミングのシフト量の最大値は4スロットに制限されてよい。これにより、CSI-RS送信及びCSI報告の送信タイミングのシフト量の増加を抑えることができる。例えば、基地局１００及び端末２００は、CSI-RS送信又はCSI報告の送信タイミングを、シフト量の最大値より多くシフトしなければならないとき、当該CSI-RS送信又はCSI報告の送信を中止（又はキャンセル）してもよい。
【０１４７】
（実施の形態２）
実施の形態１では、CSI-RSリソース（例えば、CSI-RS又はCSI報告の送信タイミング）が、例えば、上位レイヤシグナリングによってLBTより前に設定され、LBTによる帯域の空き状況又はスロットフォーマット設定におけるシンボル構成に応じてCSI-RSリソースを調整（換言すると変更）する方法について説明した。
【０１４８】
これに対して、本実施の形態では、CSI-RSリソース（例えば、CSI-RS又はCSI報告の送信タイミング）は、LBTより前に設定されず、LBTによる帯域の空きが確認できた段階で設定される方法について説明する。
【０１４９】
なお、本実施の形態に係る基地局及び端末は、実施の形態１に係る基地局１００及び端末２００と基本構成が共通するので、図６及び図７を援用して説明する。
【０１５０】
以下、本実施の形態に係る、CSI-RSリソースの決定方法４〜６についてそれぞれ説明する。
【０１５１】
＜決定方法４＞
決定方法４では、基地局１００（例えば、制御部１０２）は、例えば、LBTによる帯域（又はチャネル）の空きが確認され、COTが設定された後、COT設定（例えば、COT構成及びCOT内のスロットフォーマット設定）に基づいて、CSI-RSリソース（例えば、送信タイミング）を決定する。
【０１５２】
基地局１００は、決定したCSI-RSリソースを、下り制御情報（例えば、DCI）を用いて端末２００へ通知する。端末２００（例えば、制御部２１２）は、例えば、基地局１００から通知されるDCIに基づいて、CSI-RSリソースを特定する。そして、基地局１００及び端末２００は、決定されたCSI-RSリソースを用いて、CSI-RSの送信、測定及び報告を行う。
【０１５３】
決定方法４によれば、LBT後に設定されるCOT構成又はスロットフォーマット設定に応じて、CSI-RSリソースが設定されるので、CSI-RSの送信、測定及び報告の精度を向上できる。
【０１５４】
ここで、CSI-RSリソースの割当に用いられるDCIは、group commonタイプのDCIでもよく、基地局１００から複数の端末２００へリソース割当が一斉に通知されてよい。group commonタイプのDCIを使用する場合、例えば、端末２００は、group common DCIのビット列のうちのどのビットが当該端末２００宛ての信号であるかを予め認識している。group commonタイプのDCIを使用することにより、CSI-RSリソースの割当に要するシグナリング量を低減できる。
【０１５５】
なお、CSI-RSリソースの割当に用いられるDCIは、group commonタイプのDCIに限らず、UE specificタイプのDCIでもよく、基地局１００から各端末２００へリソース割当が個別に通知されてもよい。UE specificタイプのDCIを使用することにより、CSI-RSリソースの割当を、各端末２００に対して柔軟に通知できる。
【０１５６】
また、CSI-RSリソースのうち、CSI-RSの測定リソースを通知するDCIでは、例えば、CSI-RS測定の割り当て周波数情報（frequency domain allocation）、ポート数、シンボル番号、符号多重（CDM：Code Division Multiplexing）のタイプ、密度、周波数帯を判断するための情報が通知されてよい。これらの情報は、例えば、上位レイヤのシグナリングによって複数のマッピング（換言すると、組み合わせ。又は、CSI-RS-ResourceMappingと呼ばれる）が設定され、DCIの通知によって使用されるマッピングが通知されてもよい。
【０１５７】
また、CSI-RSリソースのうち、CSI報告のリソースを通知するDCIでは、例えば、CSI報告の割り当て周波数情報、シフト量を含む割り当てタイミング情報、及び、該当するCSI報告がどのCSI-RS送信に対応するかを特定するための情報等が通知されてよい。これらの情報は、例えば、上位レイヤのシグナリングによって複数のパターン（換言すると、組み合わせ。又は、CSI-ReportConfigと呼ばれる）が設定され、DCIの通知によって使用されるCSI報告のパターンが通知されてもよい。
【０１５８】
また、CSI-RSの送信、測定及び報告に関して、リソース割当以外の設定については、DCIの通知に限らず、例えば、上位レイヤシグナリングによって通知されてもよい。換言すると、CSI-RSリソースのうち、リソース割当（例えば、送信タイミング等）等の一部の設定と、他の設定とが個別に決定されてもよい。例えば、CSI-RSの送信、測定及び報告に関して、リソース割当についてはLBTより後に設定され、リソース割当以外の設定については、LBTより前に設定されてもよい。
【０１５９】
また、CSI-RSリソース割当については、スロット単位の通知でもよく、シンボル単位の通知でもよく、スロット単位とシンボル単位との組み合わせの通知でもよい。スロット単位又はシンボル単位の通知は、例えば、COTの先頭スロットの先頭シンボルから、何スロット目又は何シンボル目であるかを通知してもよい。また、CSI報告については、COTのULシンボルがスタートするスロットの先頭シンボルを起点としてもよい。また、CSI-RS送信については、COTの先頭スロットの先頭シンボルからのスロット数及びシンボル数が通知され、CSI報告についてはCOTの末尾スロット又は末尾から数スロット前（例えば、２スロット前）のスロット内の上りバーストの開始シンボルを起点としてもよい。
【０１６０】
＜決定方法５＞
決定方法４では、DCIによって、CSI-RSリソースを基地局１００から端末２００へ通知する方法について説明した。これに対して、決定方法５では、DCIによって、CSI-RSの送信、測定及び報告を行う対象の端末を通知（換言すると、選択）する方法について説明する。
【０１６１】
決定方法５では、基地局１００（例えば、制御部１０２）は、例えば、LBTによる帯域（又はチャネル）の空きが確認され、COTが設定された後、CSI-RSの送信、測定及び報告を行う対象の端末２００を選択する。
【０１６２】
そして、基地局１００は、CSI-RSの送信、測定及び報告を行う対象の端末２００を示す情報（換言すると、CSI-RSの送信、測定及び報告がスケジューリングされるか否かを示す情報）を、下り制御情報（例えば、DCI）を用いて端末２００へ通知する。端末２００（例えば、制御部２１２）は、例えば、基地局１００から通知されるDCIに基づいて、CSI-RSの受信、測定及び報告を行うか否かを判断する。そして、基地局１００及び選択された端末２００は、CSI-RSの送信、測定及び報告を行う。
【０１６３】
決定方法５によれば、LBT後に設定されるCOT構成又はスロットフォーマット設定に応じて、CSI-RSの送信、測定及び報告の対象となる端末２００が選択されるので、CSI-RSの送信、測定及び報告の精度を向上できる。
【０１６４】
ここで、CSI-RSの送信、測定及び報告がスケジューリングされるか否かを示す情報の通知に用いられるDCIは、group commonタイプのDCIでもよく、基地局１００から複数の端末２００へ一斉に通知されてよい。例えば、端末２００は、group common DCIのビット列のうちどのビットを参照するのかについて予め認識している。端末２００は、group common DCIの参照するビットの値に基づいて、当該端末２００に対してCSI-RSの送信、測定及び報告が設定されたか否か（換言すると、選択されたか否か）を判断する。
【０１６５】
また、CSI-RSリソースは、例えば、対応するCOT内のスロットフォーマット設定に基づいて決定されてよい。CSI-RSリソース（例えば、送信タイミング）は、例えば、対応するCOTにおける下りバーストの末尾などに設定されてよい。
【０１６６】
また、CSI-RSリソースは、基地局１００及び端末２００の各々において同様にして決定されてもよく、端末２００の選択に関する通知に用いるDCIとは別のDCIによって基地局１００から端末２００に対して明示的に通知されてもよい。リソース割当を行うDCIは、group-commonタイプのDCIでもよく、端末２００に個別に通知されるUE specificタイプのDCIでもよい。これにより、基地局１００及び端末２００は、CSI-RSの送信、測定及び報告の対象となる端末２００の通知、及び、CSI-RSリソースの通知の双方を、DCIによって柔軟に決定できる。
【０１６７】
また、CSI-RSリソースの割当（例えば、端末２００の選択、及び、リソース割当を含む）以外の設定に関しては、例えば、実施の形態１で説明したように、割り当てられたリソースのシンボル番号又はスロット番号に関連付けて、基地局１００及び端末２００の双方において決定されてもよい。
【０１６８】
＜決定方法６＞
決定方法６は、決定方法４と決定方法５とを組み合わせた方法である。
【０１６９】
決定方法６では、基地局１００は、CSI-RSの送信、測定及び報告をスケジューリングされる端末２００の選択、及び、選択された端末２００に対するCSI-RSリソース割当を、DCIによって端末２００へ通知する。
【０１７０】
例えば、基地局１００は、LBTによって帯域（又はチャネル）の空きが確認され、COTが設定された後、CSI-RSリソースの割当を含むCSI-RSの送信、測定及び報告に関する設定を、DCIによって端末２００へ通知する。なお、基地局１００は、CSI-RSリソースの割当を含むCSI-RSの送信、測定及び報告に関する設定を、group-commonタイプのDCIによって複数の端末２００へ一斉に通知してもよく、UE specificタイプのDCIによって各端末２００へ個別に通知してもよい。
【０１７１】
以上、決定方法４〜６についてそれぞれ説明した。
【０１７２】
このように、本実施の形態では、基地局１００及び端末２００は、LBTによって帯域（又はチャネル）の空きが確認され、COTが設定された後に、CSI-RSリソース（例えば、送信タイミング等）を決定する。
【０１７３】
これにより、基地局１００及び端末２００は、COT長及びスロットフォーマット等の時間的な変動に応じて、CSI-RSの送信、測定及び報告のためのリソースを柔軟に決定できる。そのため、基地局１００及び端末２００は、CSI-RSの送信、測定及び報告の精度を向上できる。
【０１７４】
よって、本実施の形態によれば、基地局１００及び端末２００は、基地局１００又は端末２００が信号を送信できない区間が発生する免許不要帯域（例えば、アンライセンス帯域）において、CSI-RS又はCSI報告を適切に送信できる。
【０１７５】
（実施の形態３）
本実施の形態では、割り当てられたリソースにおいてCSI報告を送信できない場合、当該CSI報告の送信を延期する方法について説明する。
【０１７６】
なお、本実施の形態に係る基地局及び端末は、実施の形態１に係る基地局１００及び端末２００と基本構成が共通するので、図６及び図７を援用して説明する。
【０１７７】
以下、本実施の形態に係る、CSI-RSの送信、測定及び報告に用いるリソースの決定方法７について説明する。
【０１７８】
＜決定方法７＞
決定方法７では、基地局１００及び端末２００は、例えば、上述した決定方法１〜６の少なくとも１つに基づいて、CSI報告に使用するリソース割当を決定してよい。
【０１７９】
ただし、決定方法７では、端末２００は、決定したCSI報告に使用するリソースでは対応するCOT内においてCSI報告を送信できない場合、当該COTにおいてCSI報告を送信せず（換言すると、CSI報告信号を生成せず）、当該COTの終了後に再度LBTを行って設定されるCOTにおいてCSI報告を送信する。換言すると、端末２００は、CSI報告を時間的に延期する。
【０１８０】
例えば、基地局１００及び端末２００は、COTにおける送信可能時間を示す情報に基づいて、CSI報告を延期するか否かを判断してよい。
【０１８１】
ここで、決定したCSI報告に使用するリソースでは対応するCOT内においてCSI報告を送信できないケースには、例えば、CSI報告に割り当てられたリソースが、当該CSI報告に対応するCSI-RS送信に割り当てられたリソースを含むCOTの設定時間外である場合等がある。この場合、端末２００は、例えば、CSI報告に割り当てられたリソース（COTの設定時間外）を用いたCSI報告の送信を中止する。また、端末２００は、CSI報告の送信を中止したCOTの設定時間終了後に次のCOTが設定されるまで、送信を中止したCSI報告（または、CSI報告の生成に準備された信号）を保持する。そして、端末２００は、次のCOTが設定された場合、当該COTにおいて、保持しているCSI報告を基地局１００へ送信する。
【０１８２】
換言すると、端末２００は、CSI報告のタイミングに対応するリソースがCOTと異なる場合（例えば、COTの設定時間外の場合）、CSI報告のタイミングを、他のLBTの結果に応じて設定される他のCOTにシフトする。
【０１８３】
ここで、次のCOTにおけるCSI報告のリソースは、例えば、当該COTにおけるスロットフォーマット設定に基づいて決定されてよい。例えば、CSI報告のリソースは、次のCOTにおける上りバーストの先頭シンボルでもよい。
【０１８４】
また、CSI報告の延期は、端末２００に限らず、基地局１００において判断されてもよい。この場合、基地局１００は、DCIによって、当該COTにおけるCSI報告の延期及び次のCOTにおけるCSI報告のリソースを端末２００へ明示的に通知してもよい。なお、次のCOTにおけるCSI報告のリソース割当は、例えば、実施の形態１の決定方法３と同様に、スロット単位、シンボル単位、又は、スロット単位とシンボル単位との組み合わせによる通知でもよい。
【０１８５】
以上、決定方法７について説明した。
【０１８６】
このように、本実施の形態では、基地局１００及び端末２００は、端末２００が設定されたCOT内のリソースにおいてCSI報告を送信できない場合、当該COTにおけるCSI報告の送信中止を決定し、当該COTより後の他のCOTまでCSI報告の送信を延期する。
【０１８７】
これにより、例えば、CSI報告に対するリソース割り当てが上位レイヤシグナリングによって基地局１００から端末２００へ通知される場合でも、基地局１００及び端末２００は、COT長及びスロットフォーマット等の時間的な変動に柔軟に対応して、CSI報告のためのリソースを確保できる。
【０１８８】
よって、本実施の形態によれば、基地局１００及び端末２００は、基地局１００又は端末２００が信号を送信できない区間が発生する免許不要帯域（例えば、アンライセンス帯域）において、CSI-RS又はCSI報告を適切に送信できる。
【０１８９】
以上、本開示の各実施の形態について説明した。
【０１９０】
（他の実施の形態）
上記実施の形態において、端末毎に個別に通知するUE specificタイプのDCIには、CSI-RSの送信、測定及び報告に関する情報の他に、ULの割当情報が含まれてもよく、DLの割当情報が含まれてもよく、又は、割当情報が含まれなくてもよい。また、CSI-RS送信に関する情報と、CSI報告に関する情報とは、互いに異なるDCIに含まれてもよく、同じDCIに含まれてもよい。
【０１９１】
また、上記実施の形態（又は、決定方法１〜７の各々）は、NRにおけるPeriodic、Semi-persistent又はAperiodicな運用の何れかに分類されてよく、Periodic、Semi-persistent又はAperiodicと呼ばれてよい。例えば、Periodicに送信される信号の送信タイミングをシフトする決定方法（例えば、決定方法２、３又は７）において、シフト量は瞬時に決定されるので、これらの決定方法は、Periodic及びAperiodicな運用の何れかに分類されてよい。
【０１９２】
また、上記実施の形態では、制御信号を送信する下り制御チャネルにPDCCHを用いる場合について説明した。しかし、制御信号を送信する下り制御チャネルは、他の名称の制御チャネルでもよい。例えば、制御信号を送信する下り制御チャネルは、Enhanced PDCCH（EPDCCH）、Relay PDCCH（R-PDCCH）、Machine Type Communication PDCCH（MPDCCH）等でもよい。
【０１９３】
また、上記実施の形態では、上位レイヤのシグナリングには、RRCシグナリングを想定しているが、Medium Access Control（MAC）のシグナリング、及び、物理レイヤのシグナリングであるDCIでの通知に置き換えてもよい。MACのシグナリングおよび物理レイヤのシグナリングの場合、RRCのシグナリングと比較して、変更の頻度を上げることができる。
【０１９４】
また、上記実施の形態では、スロットフォーマット設定において、DLシンボル及びULシンボルが含まれる場合について説明したが、DLシンボル及びULシンボルの双方に使用可能であるフレキシブルシンボルが含まれてもよい。
【０１９５】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１９６】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【０１９７】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【０１９８】
通信には、セルラーシステム、無線ＬＡＮシステム、通信衛星システム等によるデータ通信に加え、これらの組み合わせによるデータ通信も含まれる。
【０１９９】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【０２００】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【０２０１】
本開示の一実施例に係る基地局は、キャリアセンスの結果に応じて設定される時間リソースに基づいて、前記キャリアセンスの前に設定される、参照信号の送信タイミング及び端末において前記参照信号を用いて測定された品質情報の報告タイミングのうち少なくとも一つのタイミングを変更する制御回路と、前記変更されたタイミングに基づいて、前記参照信号又は前記品質情報の通信を行う通信回路と、を具備する。
【０２０２】
本開示の一実施例に係る基地局において、前記制御回路は、前記時間リソース内の前記送信タイミングに対応するリソースが上りリソースの場合、前記送信タイミングを、前記時間リソース内の下りリソースにシフトし、前記時間リソース内の前記報告タイミングに対応するリソースが下りリソースの場合、前記報告タイミングを、前記時間リソース内の上りリソースにシフトする。
【０２０３】
本開示の一実施例に係る基地局において、前記制御回路は、前記タイミングに対応するリソースが前記時間リソースと異なる場合、前記タイミングを、前記時間リソース内にシフトする。
【０２０４】
本開示の一実施例に係る基地局において、前記通信回路は、前記変更されたタイミングを示す情報を端末へ通知する。
【０２０５】
本開示の一実施例に係る基地局において、前記制御回路は、前記報告タイミングに対応するリソースが前記時間リソースと異なる場合、前記報告タイミングを、他のキャリアセンスの結果に応じて設定される他の時間リソースにシフトする。
【０２０６】
本開示の一実施例に係る端末は、キャリアセンスの結果に応じて設定される時間リソースに基づいて、前記キャリアセンスの前に設定される、基地局からの参照信号の送信タイミング及び前記参照信号を用いて測定する品質情報の報告タイミングのうち少なくとも一つのタイミングを変更する制御回路と、前記変更されたタイミングに基づいて、前記参照信号又は前記品質情報の通信を行う通信回路と、を具備する。
【０２０７】
本開示の一実施例に係る通信方法は、キャリアセンスの結果に応じて設定される時間リソースに基づいて、前記キャリアセンスの前に設定される、参照信号の送信タイミング及び端末において前記参照信号を用いて測定された品質情報の報告タイミングのうち少なくとも一つのタイミングを変更し、前記変更されたタイミングに基づいて、前記参照信号又は前記品質情報の通信を行う。
【０２０８】
本開示の一実施例に係る通信方法は、キャリアセンスの結果に応じて設定される時間リソースに基づいて、前記キャリアセンスの前に設定される、基地局からの参照信号の送信タイミング及び前記参照信号を用いて測定する品質情報の報告タイミングのうち少なくとも一つのタイミングを変更し、前記変更されたタイミングに基づいて、前記参照信号又は前記品質情報の通信を行う。
【０２０９】
２０１９年１月１０日出願の特願２０１９−００２３３０の日本出願に含まれる明細書、図面および要約書の開示内容は、すべて本願に援用される。
【産業上の利用可能性】
【０２１０】
本開示の一実施例は、移動通信システムに有用である。
【符号の説明】
【０２１１】
１００  基地局
１０１，２０７  CSI-RS設定部
１０２，２１２  制御部
１０３  DCI生成部
１０４  CSI-RS生成部
１０５，２０９  誤り訂正符号化部
１０６，２１０  変調部
１０７，２１３  信号割当部
１０８，２１４  送信部
１０９，２０１  受信部
１１０，２０２  信号分離部
１１１，２０４  復調部
１１２，２０５  誤り訂正復号部
１１３，２１１  キャリアセンス部
１１４  COT設定部
２００  端末
２０３  DCI受信部
２０６  CSI測定部
２０８  CSI報告生成部
【図１】
2020144890.tif 000003
【図２】
2020144890.tif 000004
【図３】
2020144890.tif 000005
【図４】
2020144890.tif 000006
【図５】
2020144890.tif 000007
【図６】
2020144890.tif 000008
【図７】
2020144890.tif 000009
【図８】
2020144890.tif 000010
【図９】
2020144890.tif 000011
【図１０】
2020144890.tif 000012
【図１１】
2020144890.tif 000013
【図１２】
2020144890.tif 000014
【図１３】
2020144890.tif 000015
【国際調査報告】
2020144890.tif 000016
2020144890.tif 000017
2020144890.tif 000018
2020144890.tif 000019